(57)【要約】      （修正有）【課題】尿を簡便に検出し、病院へ行かずに自分の健康状況がいつでも把握でき、時間、労力を大幅に節約するとともに、簡単で衛生的で、データの正確性が高い、尿、体重、心電波形、人体抵抗の検出機能を有する便器を提供する。【解決手段】便器本体と、便器本体内に設けられ、それぞれ尿、体重、心電波形、人体抵抗のデータを採集して分析処理を行うための尿採集分析装置、体重採集分析装置、心電波形採集分析装置、人体抵抗採集分析装置と、尿、体重、心電波形、人体抵抗の検出データを取得、アクセス、ブラウジングするとともに、リモートサーバとデータの交互伝送を行うためのコントローラとを備える。人体抵抗採集分析装置は、便器本体上に設けられる外付電極であり、便器本体には、知能操作装置がさらに設けられ、知能操作装置の霧化及び薬燻し装置は、コントローラと信号接続されている。【選択図】図１
0003213815.tif 000002
【実用新案登録請求の範囲】
【請求項１】
便器本体を備える便器であって、
前記便器本体内に設けられており、それぞれ尿、体重、心電波形、人体抵抗のデータを採集して分析処理を行うための尿採集分析装置、体重採集分析装置、心電波形採集分析装置、人体抵抗採集分析装置と、
尿採集分析装置、体重採集分析装置、心電波形採集分析装置、人体抵抗採集分析装置で採集した尿、体重、心電波形、人体抵抗の検出データをそれぞれ取得し、前記尿、体重、心電波形、人体抵抗の検出データをアクセス、ブラウジングするとともに、リモートサーバとデータの交互伝送を行うためのコントローラと、をさらに備え、
前記人体抵抗採集分析装置は、便器本体上に設けられる外付電極であり、
前記便器本体には、霧化及び薬燻し装置を備える知能操作装置がさらに設けられており、前記霧化及び薬燻し装置はコントローラと信号接続されている
ことを特徴とする尿、体重、心電波形、人体抵抗の検出機能を有する便器。
【請求項２】
前記尿採集分析装置は、
尿試験紙を置くための試験紙置き溝と、
試験紙置き溝に置かれた尿試験紙の尿データ情報を取得して処理するための尿アナライザと、を備え、
前記尿アナライザは、尿データ情報を取得して処理する光電変換回路と、光電変換回路を制御するＭＣＵマイクロプロセッサと、ＭＣＵマイクロプロセッサ及びコントローラとそれぞれデータ通信を行う第１データ伝送モジュールとを備える
ことを特徴とする請求項１に記載の尿、体重、心電波形、人体抵抗の検出機能を有する便器。
【請求項３】
前記体重採集分析装置は、具体的に、人体が便座を利用する時にユーザーの体重情報を取得し、取得した体重情報をコントローラにアップロードするためのものであることを特徴とする請求項１又は２に記載の尿、体重、心電波形、人体抵抗の検出機能を有する便器。
【請求項４】
前記第１データ伝送モジュールは、ブルートゥースモジュール及び／又はＷＩＦＩモジュール及び／又はデータ線であることを特徴とする請求項２に記載の尿、体重、心電波形、人体抵抗の検出機能を有する便器。
【請求項５】
前記コントローラは、ＣＰＵプロセッサと、ＣＰＵプロセッサにそれぞれ接続されているデータメモリ、ディスプレイ、電池モジュール、第２データ伝送モジュールとを備え、前記ＣＰＵプロセッサは、第２データ伝送モジュールを介して便器本体及びリモートサーバとそれぞれデータ通信を行い、前記第２伝送モジュールは、尿データ採集分析装置とデータ通信を行うブルートゥースモジュール、リモートサーバとデータ通信を行うＷＩＦＩモジュールを備えることを特徴とする請求項１に記載の尿、体重、心電波形、人体抵抗の検出機能を有する便器。
【請求項６】
前記コントローラは、携帯式の知能コントローラ或いは認証された携帯端末であることを特徴とする請求項５に記載の尿、体重、心電波形、人体抵抗の検出機能を有する便器。
【請求項７】
前記知能操作装置は、コントローラとそれぞれ信号接続されている臀部洗浄装置、暖風乾燥装置、便器汚物排出装置、便座恒温装置、自動消臭装置をさらに備えることを特徴とする請求項１に記載の尿、体重、心電波形、人体抵抗の検出機能を有する便器。
【請求項８】
前記霧化及び薬燻し装置は、ファン、空気ヒータ、測温センサ、超音波霧化ユニットを備え、前記ファンは、薬燻しの気流を生じて前記空気ヒータに輸送し、超音波霧化ユニットによる霧化物を出口に送るためのものであり、前記空気ヒータは、前記ファンにより輸送される気流を加熱するためのものであり、前記測温センサは、風道内の薬燻しの気流の温度を測定するためのものであり、前記超音波霧化ユニットは、霧化した薬燻しの霧を生じるためのものであることを特徴とする請求項１に記載の尿、体重、心電波形、人体抵抗の検出機能を有する便器。
【請求項９】
前記霧化及び薬燻し装置は、風道、薬燻し棒、伝動ユニットを有する、薬燻しの気流の伝送を実現するための機械ユニットをさらに備え、前記ファンが風道を介して空気を空気ヒータに送って加熱した後、超音波霧化ユニットによる薬燻しの霧と混合し、気流に乗って風道を介して薬燻し棒の出口に輸送し、出口から霧化した薬燻しの霧を肛門及び生殖器に作用させることを特徴とする請求項８に記載の尿、体重、心電波形、人体抵抗の検出機能を有する便器。
【請求項１０】
前記コントローラとリモートサーバと医師エンドとの間は、通信しており、
前記コントローラは、リモートサーバと通信するためのデータ伝送及び処理モジュール、医師エンドと通信するためのオンライン医師モジュール、オンラインストアモジュール、ユーザーセンターモジュール、健康メッセージサービスモジュール、便器を制御するための便器制御モジュール、システム設定モジュールを備え、
前記リモートサーバは、前記コントローラに商品情報をプッシュし、取引情報を管理するためのモールモジュール、前記コントローラに健康メッセージをプッシュするためのメッセージモジュール、前記コントローラ内のユーザー情報を管理するユーザーモジュール、前記コントローラ及び医師エンドと通信するための医師モジュールを備え、
前記医師エンドは、医師情報を管理するための医師情報管理モジュール、連絡先及び展示情報を管理するための連絡先モジュール、予約情報及びユーザーデータを管理するための注文管理モジュール、収入及び支出を管理するための帳簿管理モジュールを備える
ことを特徴とする請求項８に記載の尿、体重、心電波形、人体抵抗の検出機能を有する便器。
【考案の詳細な説明】
【技術分野】
【０００１】
本考案は、健康チェック便器の技術分野に関し、特に尿、体重、心電波形、人体抵抗の検出機能を有する便器に関する。
【背景技術】
【０００２】
便器は、人々の日常生活に必要な設備であり、伝統的な意味の便器は、排便の作用しか有しておらず、機能が極めて単一である。
【０００３】
尿は、腎臓が血液を濾過することによって生じる廃棄物であり、各種の新陳代謝の副産物を含み、尿を検出することにより、尿システム及び内分泌システムにおける様々な病気、及び、代謝に関するシステムにおける各種の問題を発見することができる。尿検査は、通常、尿分析、尿中の有形成分検出（例えば、尿赤血球、白血球など）、蛋白質成分定量測定、尿酵素測定などを含み、体の健康状態の一般的な検査方式であり、尿検査は、臨床診断、治療効果及び予後の判断において非常に大切な価値を有している。
【０００４】
尿収集は、患者に何の負担もかけないが、尿検査は、まず、尿収集に最適な期間に、小便をしているときに被検出人が一部の尿を収集し、そして、関連する機構に送って専門的に検出を行う（一般的に病院で行う）必要がある。このような方法の欠点は、尿収集時に容器が汚染されやすいと共に、尿の転送過程でミスが生じやすく、検出結果に間違いを起こす可能性がある。また、毎回病院へ行って受診手続きをし、順番を待つ必要がある。現代のサラリーマンは、常に忙しく、週末に病院へ行くしかないので、病院では、週末の診察が非常に混雑し、患者が診察を待つ時間が長くなってしまう。なお、人々は、調子が悪い場合に病院へ行くことが多いが、明らかな病状が現れたときには既に末期になっている病気もあり、このときに受診すると、時機を誤ってしまうことになる。自分の体の健康状況をいつでも把握できれば、異常が現れたとき、適時受診することができれば、患者のリカバリレートを極めて高めることができる。また、病院から遠方の人にとって、体の通常検査をするためだけに病院へ行き帰りするのも、非常に不便である。
【０００５】
したがって、従来技術に存在する問題に対して、尿、体重、心電波形、人体抵抗などをいつでも検出でき、ユーザーに自分の健康状況をいつでも了解させることができる尿検査システムの技術を早急に提供することは、特に重要になる。
【考案の概要】
【０００６】
これに鑑み、本考案の主な目的は、尿、体重、心電波形、人体抵抗の検出機能を有する便器を提供することにある。
【０００７】
本考案の目的は、次の技術方案により実現する。
本考案の実施例は、便器本体を備える便器であって、前記便器本体内に設けられており、それぞれ尿、体重、心電波形、人体抵抗のデータを採集して分析処理を行うための尿採集分析装置、体重採集分析装置、心電波形採集分析装置、人体抵抗採集分析装置と、
尿採集分析装置、体重採集分析装置、心電波形採集分析装置、人体抵抗採集分析装置で採集した尿、体重、心電波形、人体抵抗の検出データをそれぞれ取得し、前記尿、体重、心電波形、人体抵抗の検出データをアクセス、ブラウジングするとともに、リモートサーバとデータの交互伝送を行うためのコントローラと、をさらに備え、
前記人体抵抗採集分析装置は、便器本体上に設けられる外付電極であり、
前記便器本体には、霧化及び薬燻し装置を備える知能操作装置がさらに設けられており、前記霧化及び薬燻し装置はコントローラと信号接続されている、ことを特徴とする尿、体重、心電波形、人体抵抗の検出機能を有する便器を提供する。
【０００８】
上述した考案において、前記尿採集分析装置は、
尿試験紙を置くための試験紙置き溝と、
試験紙置き溝に置かれた尿試験紙の尿データ情報を取得して処理するための尿アナライザと、を備え、
前記尿アナライザは、尿データ情報を取得して処理する光電変換回路と、光電変換回路を制御するＭＣＵマイクロプロセッサと、ＭＣＵマイクロプロセッサ及びコントローラとそれぞれデータ通信を行う第１データ伝送モジュールとを備える。
【０００９】
上述した考案において、前記体重採集分析装置は、具体的に、人体が便座を利用する時にユーザーの体重情報を取得し、取得した体重情報をコントローラにアップロードするためのものである。
【００１０】
上述した考案において、前記第１データ伝送モジュールは、ブルートゥースモジュール及び／又はＷＩＦＩモジュール及び／又はデータ線である。
【００１１】
上述した考案において、前記コントローラは、ＣＰＵプロセッサと、ＣＰＵプロセッサにそれぞれ接続されているデータメモリ、ディスプレイ、電池モジュール、第２データ伝送モジュールとを備え、前記ＣＰＵプロセッサは、第２データ伝送モジュールを介して便器本体及びリモートサーバとそれぞれデータ通信を行い、前記第２伝送モジュールは、尿データ採集分析装置とデータ通信を行うブルートゥースモジュール、リモートサーバとデータ通信を行うＷＩＦＩモジュールを備える。
【００１２】
上述した考案において、前記コントローラは、携帯式の知能コントローラ或いは認証された携帯端末である。
【００１３】
上述した考案において、前記知能操作装置は、コントローラとそれぞれ信号接続されている臀部洗浄装置、暖風乾燥装置、便器汚物排出装置、便座恒温装置、自動消臭装置をさらに備える。
【００１４】
上述した考案において、前記霧化及び薬燻し装置は、ファン、空気ヒータ、測温センサ、超音波霧化ユニットを備え、前記ファンは、薬燻しの気流を生じて前記空気ヒータに輸送し、超音波霧化ユニットによる霧化物を出口に送るためのものであり、前記空気ヒータは、前記ファンにより輸送される気流を加熱するためのものであり、前記測温センサは、風道内の薬燻しの気流の温度を測定するためのものであり、前記超音波霧化ユニットは、霧化した薬燻しの霧を生じるためのものである。
【００１５】
上述した考案において、前記霧化及び薬燻し装置は、風道、薬燻し棒、伝動ユニットを有する、薬燻しの気流の伝送を実現するための機械ユニットをさらに備え、前記ファンが風道を介して空気を空気ヒータに送って加熱した後、超音波霧化ユニットによる薬燻しの霧と混合し、気流に乗って風道を介して薬燻し棒の出口に輸送し、出口から霧化した薬燻しの霧を肛門及び生殖器に作用させる。
【００１６】
上述した考案において、前記コントローラとリモートサーバと医師エンドとの間は、通信しており、
前記コントローラは、リモートサーバと通信するためのデータ伝送及び処理モジュール、医師エンドと通信するためのオンライン医師モジュール、オンラインストアモジュール、ユーザーセンターモジュール、健康メッセージサービスモジュール、便器を制御するための便器制御モジュール、システム設定モジュールを備え、
前記リモートサーバは、前記コントローラに商品情報をプッシュし、取引情報を管理するためのモールモジュール、前記コントローラに健康メッセージをプッシュするためのメッセージモジュール、前記コントローラ内のユーザー情報を管理するユーザーモジュール、前記コントローラ及び医師エンドと通信するための医師モジュールを備え、
前記医師エンドは、医者情報を管理するための医師情報管理モジュール、連絡先及び展示情報を管理するための連絡先モジュール、予約情報及びユーザーデータを管理するための注文管理モジュール、収入及び支出を管理するための帳簿管理モジュールを備える。
【００１７】
従来技術と比べ、本考案の有益な効果は以下のとおりである。
本考案の実施例は、便器本体を備える便器であって、前記便器本体内に設けられており、それぞれ尿、体重、心電波形、人体抵抗のデータを採集して分析処理を行うための尿採集分析装置、体重採集分析装置、心電波形採集分析装置、人体抵抗採集分析装置と、尿採集分析装置、体重採集分析装置、心電波形採集分析装置、人体抵抗採集分析装置で採集した尿、体重、心電波形、人体抵抗の検出データをそれぞれ取得し、前記尿、体重、心電波形、人体抵抗の検出データをアクセス、ブラウジングするとともに、リモートサーバとデータの交互伝送を行うためのコントローラと、をさらに備え、前記人体抵抗採集分析装置は、便器本体上に設けられる外付電極であり、前記便器本体には、霧化及び薬燻し装置を備える知能操作装置がさらに設けられており、前記霧化及び薬燻し装置はコントローラと信号接続されている、ことを特徴とする尿、体重、心電波形、人体抵抗の検出機能を有する便器を提供する。これによって、本考案に係る、尿、体重、心電波形、人体抵抗などの検出データをクラウドサーバーに伝送して分析させ、分析の結果をユーザーにフィードバックする尿、体重、心電波形、人体抵抗などの検出機能を有する便器により、ユーザーは、病院へ行かなくても自分で人体の尿、体重、心電波形、人体抵抗などの検出を完成でき、時間、労力を大幅に節約する。また、ユーザーは、自分の身体状況に常に気をつけることができ、診断が迅速で、可遡性を有する。なお、当該尿、体重、心電波形、人体抵抗などの検出機能を有する便器の検査方法は、簡単で衛生的であり、かつ、データが正確である。
【００１８】
添付図面に基づいて、本考案をさらに説明するが、添付図面における内容は、本考案に対して何らの限定もしていない。
【図面の簡単な説明】
【００１９】
【図１】本考案に係る尿、体重、心電波形、人体抵抗の検出機能を有する便器のブロック構造模式図である。
【図２】本考案に係る尿、体重、心電波形、人体抵抗の検出機能を有する便器の回路原理の構造模式図である。
【図３】本考案に係る尿、体重、心電波形、人体抵抗の検出機能を有する便器のネットワーク通信のフロー模式図である。
【図４】本考案に係る尿、体重、心電波形、人体抵抗の検出機能を有する便器の霧化及び薬燻し装置のブロック構造模式図である。
【図５】本考案に係る尿、体重、心電波形、人体抵抗の検出機能を有する便器のコントローラのブロック構造模式図である。
【図６】本考案に係る尿、体重、心電波形、人体抵抗の検出機能を有する便器のリモートサーバのブロック構造模式図である。
【図７】本考案に係る尿、体重、心電波形、人体抵抗の検出機能を有する便器の医師エンドのブロック構造模式図である。
【考案を実施するための形態】
【００２０】
考案の目的、技術方案及び利点をより明らかにするために、以下、添付図面及び実施例に基づいて、本考案をさらに詳しく説明する。
【００２１】
本考案の実施例は、尿、体重、心電波形、人体抵抗などの検出機能を有する便器を提供し、図１〜図３に示すように、便器本体と、前記便器本体内に設けられており、それぞれ尿、体重、心電波形、人体抵抗のデータを採集して分析処理を行うための尿採集分析装置、体重採集分析装置、心電波形採集分析装置、人体抵抗採集分析装置と、尿採集分析装置、体重採集分析装置、心電波形採集分析装置、人体抵抗採集分析装置で採集した尿、体重、心電波形、人体抵抗の検出データをそれぞれ取得し、前記尿、体重、心電波形、人体抵抗の検出データをアクセス、ブラウジングするとともに、リモートサーバとデータの交互伝送を行うためのコントローラと、を備え、前記人体抵抗採集分析装置は、便器本体上に設けられている外付電極であり、前記便器本体には、霧化及び薬燻し装置を備える知能操作装置がさらに設けられており、前記霧化及び薬燻し装置はコントローラと信号接続されている。
【００２２】
尿、体重、心電波形、人体抵抗の検出データをクラウドサーバーに伝送して分析させ、分析の結果をユーザーにフィードバックする尿、体重、心電波形、人体抵抗の検出機能を有する便器を使用することにより、ユーザーは、病院へ行かなくても自分で人体の検出を完成でき、時間、労力を大幅に節約する。また、ユーザーは、自分の身体状況に常に気をつけることができ、診断が迅速で、可遡性を有する。なお、当該尿、体重、心電波形、人体抵抗の検出機能を有する便器の検査方法は、簡単で衛生的であり、かつ、データが正確である。
【００２３】
また、尿データ採集分析装置は、尿試験紙を置く試験紙置き溝、試験紙置き溝に置かれた尿試験紙の尿データ情報を取得して処理する尿アナライザ、体重測定装置、心電波形及び抵抗測定装置を備える。尿アナライザは、尿データ情報を取得して処理する光電変換回路と、光電変換回路を制御するＭＣＵマイクロプロセッサと、ＭＣＵマイクロプロセッサ及びコントローラとそれぞれデータ通信を行う第１データ伝送モジュールとを備える。また、第１データ伝送モジュールは、ブルートゥースモジュール及び／又はＷＩＦＩモジュール及び／又はデータ線である。体重測定装置は、４つの重量測定センサ、便座などを備える。心電波形及び人体抵抗測定装置は、４つの測定電極、心電波形測定モジュール、抵抗測定モジュールを備える。
【００２４】
尿データ採集分析装置は、尿試験紙に対して、データの採集、分析を行う計器であり、光電変換回路によって、被試験尿と化学反応した尿試験紙と通信し、光電変換回路は、尿アナライザの内部のＭＣＵマイクロプロセッサと接続されている。また、尿アナライザは、ＭＣＵと接続されている、検出されたデータに対する無線伝送が可能なブルートゥースモジュール及びＷＩＦＩモジュールをさらに備え、当該光電変換回路は、被試験尿と化学反応した尿試験紙の反応領域から検出光線を発射する光線発射ユニットと、検出光線の反射光を受けて反射光を電気信号に変換するとともに前記ＭＣＵマイクロプロセッサに伝送する光電変換装置とを備える。
【００２５】
また、コントローラは、ＣＰＵプロセッサと、ＣＰＵプロセッサにそれぞれ接続されているデータメモリ、ディスプレイ、電池モジュール、第２データ伝送モジュールとを備える。ＣＰＵプロセッサは、第２データ伝送モジュールを介して便器本体及びリモートサーバとそれぞれデータ通信を行う。第２伝送モジュールは、尿データ採集分析装置とデータ通信を行うブルートゥースモジュール、リモートサーバとデータ通信を行うＷＩＦＩモジュールを備える。また、コントローラは、携帯式の知能コントローラ或いは認証された携帯端末である。多様化する制御システムによって、ユーザーが自分の需要に応じて選択することができる。
【００２６】
前記体重測定装置は、具体的に、人体が便座を利用する時にユーザーの体重情報を取得し、取得した体重情報をコントローラにアップロードするためのものである。
【００２７】
図４に示すように、前記霧化及び薬燻し装置は、ファン、空気ヒータ、測温センサ、超音波霧化ユニットを備える。前記ファンは、薬燻しの気流を生じて前記空気ヒータに輸送し、超音波霧化ユニットによる霧化物を出口に送るためのものである。前記空気ヒータは、前記ファンにより輸送される気流を加熱するためのものである。前記測温センサは、風道内の薬燻しの気流の温度を測定するためのものである。前記超音波霧化ユニットは、霧化した薬燻しの霧を生じるためのものである。
【００２８】
前記霧化及び薬燻し装置は、風道、薬燻し棒、伝動ユニットを有する、薬燻しの気流の伝送を実現するための機械ユニットをさらに備える。前記ファンが風道を介して空気を空気ヒータに送って加熱した後、超音波霧化ユニットによる薬燻しの霧と混合し、気流に乗って風道を介して薬燻し棒の出口に輸送し、出口から霧化した薬燻しの霧を肛門及び生殖器に作用させる。
【００２９】
携帯式の知能コントローラは、ブルートゥースモジュール、ＷＩＦＩモジュールにより、尿、体重、心電波形、人体抵抗のデータの検出分析データを受信、発信、アクセスする装置である。携帯式の知能コントローラは、静電容量タッチディスプレイに接続されるＣＰＵプロセッサを備え、タッチディスプレイへの操作により、尿、体重、心電波形、人体抵抗などのデータ検出分析装置を制御でき、内蔵されたブルートゥースモジュールは、尿、体重、心電波形、人体抵抗などのデータ検出分析装置による尿、体重、心電波形、人体抵抗の検出データを自動的に受信することができ、尿、体重、心電波形、人体抵抗のデータをアクセス、ブラウジングするとともに、内蔵されたＷＩＦＩモジュールによりリモートサーバデータとの交互伝送を行う。
【００３０】
当該コントローラのプログラム部分は、現在広く流通しているＡＰＰソフトにより制御することができ、ユーザーは、尿検査によるデータを、内蔵されたブルートゥース（Ｂｌｕｅｔｏｏｔｈ）無線モジュールによりＷＩＦＩモジュールを有する携帯式の知能コントローラ（或いは、専門ＡＰＰソフトが内蔵されている他のＷＩＦＩモバイルデバイス、例えばスマートフォン、タブレットなど）に伝送し、無線ネットワークに接続し、検出された尿データをリモートサーバに伝送してデータ通信を行い、データのアクセス及びデータのブラウジングの一連のシステム方案を実現する。前記システムは、「尿試験紙」、「便器に内蔵された尿データ採集分析装置」、「携帯式の知能コントローラ」、「ＡＰＰソフトがインストールされている携帯端末」を含む。使用時に、まず、尿を含浸した尿試験紙を便器に内蔵された試験紙置き溝に挿入するとともに、携帯式の知能コントローラ又は他の携帯端末により尿、体重、心電波形、人体抵抗などのデータ採集分析装置の尿、体重、心電波形、人体抵抗などの分析機能を起動させ、尿、体重、心電波形、人体抵抗などのデータ採集分析装置が尿、体重、心電波形、人体抵抗などに対する分析を完成した後、システムは、分析で得た尿、体重、心電波形、人体抵抗などの検出データをブルートゥースモジュールにより携帯式の知能コントローラ或いは対応する携帯端末に自動的に伝送し、携帯式の知能コントローラは、内蔵されたＷＩＦＩモジュールにより無線インターネットルータに接続し、尿、体重、心電波形、人体抵抗などの検出データを遠端サーバーにアップロードし、遠端サーバーは、尿、体重、心電波形、人体抵抗などの検出データを受信した後、当該データに対する計算、分類整理を行ってから、インターネット無線ルータによりユーザーの携帯式の知能コントローラにフィードバックし、最終的な尿分析報告をブラウジングする。
【００３１】
また、便器本体内には、ブルートゥースモジュールを介してコントローラと接続されている知能操作装置がさらに設けられている。知能操作装置は、コントローラとそれぞれ信号接続されている臀部洗浄装置、暖風乾燥装置、便器汚物排出装置、便座恒温装置、自動消臭装置をさらに備える。携帯式の知能コントローラは、クラウド健康チェック便器の制御装置としての他の機能部分に対して無線制御を行うことにより、臀部洗浄、女性向け洗浄、暖風乾燥、便座恒温、便器汚物排出、便器折りたたみ、自動類、霧化及び薬燻しなどの操縦機能を実現する。
【００３２】
クラウド健康チェック便器は、尿、体重、心電波形、人体抵抗などを分析できるクラウド知能健康チェック便器であり、主に、家庭ユーザーのサービスに用いられ、普段便器を利用する時に、尿、体重、心電波形、人体抵抗などのデータを容易に取得できるとともに、ＡＰＰソフトの操作によりリモートサーバとの通信を実現して健康分析、健康データ、メッセージ発信、受診予約などのサービスを得るようにユーザーを助け、これによって、ユーザーが自分の健康状況、受診情報を了解することに寄与する。製品は、主に、家庭、住居の広い消費市場向けのものであり、従来の尿検査計器はコストが高く、家庭市場への普及率が低く、一般的な消費者が尿、体重、心電波形、人体抵抗などの従来の検出計器で検出されたデータの指標に対する臨床知識に欠けることから、より速く家庭に浸透して多くの消費者が利用できないなどの問題を解決する。また、便器に尿、体重、心電波形、人体抵抗などの分析機能を追加することにより、便器の従来の家庭向け消耗品としての使用価値を高め、消費者の健康生活により好適なサービスを提供する。
【００３３】
前記コントローラとリモートサーバと医師エンドとの間は通信している。
【００３４】
図５に示すように、前記コントローラは、リモートサーバと通信するためのデータ伝送及び処理モジュール、医師エンドと通信するためのオンライン医師モジュール、オンラインストアモジュール、ユーザーセンターモジュール、健康メッセージサービスモジュール、便器を制御するための便器制御モジュール、システム設定モジュールを備える。
【００３５】
具体的には、前記データ伝送及び処理モジュールは、具体的にハードウェアインタフェースの提供、データの予備処理、データの暗号化パック、履歴データの取得のためのものである。
【００３６】
前記オンライン医師モジュールは、具体的に条件の分類に応じて医師を検索し、医師情報を展示し、医師エンドと通信し、サービスを購入するためのものである。
【００３７】
前記オンラインストアモジュールは、具体的にリモートサーバからプッシュされた商品情報を受信して展示し、条件に応じて商品を検索し、商品を購入し、注文データを記録するためのものである。
【００３８】
前記ユーザーセンターモジュールは、具体的にユーザー情報を認証し、ユーザー情報、ユーザー残高、お気に入り情報を保存するためのものである。
【００３９】
前記健康メッセージサービスモジュールは、具体的に前記リモートサーバからプッシュされた健康メッセージの受信及び展示、健康メッセージのお気に入り登録及びシェアを行うためのものである。
【００４０】
前記便器制御モジュールは、具体的にブルートゥース接続を管理し、便器折りたたみ、水洗、臀部洗浄、女性向け洗浄、マッサージ、薬燻し及び水温風温などを制御し、ユーザーの心電波形情報を検出し、人体の体内成分を分析し、尿及び体重を検出し、ブルートゥース／ｗｉｆｉネットワークの接続情報を設定し、便器のパラメータを設定し、検出などを設定するためのものである。
【００４１】
図６に示すように、前記リモートサーバは、前記コントローラに商品情報をプッシュし、及び取引情報を管理するためのモールモジュール、前記コントローラに健康メッセージをプッシュするためのメッセージモジュール、前記コントローラ内のユーザー情報を管理するユーザーモジュール、前記コントローラ及び医師エンドと通信するための医師モジュール、検出モジュール、ウェブサイトモジュールを備える。
【００４２】
具体的には、前記モールモジュールは、広告、商品、注文、届け先、物流情報、ポイント情報、取引情報を管理するためのものである。
【００４３】
前記メッセージモジュールは、具体的にメッセージプッシュ、メッセージ情報を管理するためのものである。
【００４４】
前記ユーザーモジュールは、具体的にユーザー情報を管理し、チャットサービス、連絡先リストを提供するためのものである。
【００４５】
前記医師モジュールは、具体的に医師情報及び医師サービスを管理するためのものである。
【００４６】
前記検出モジュールは、具体的にバックエンドのアルゴリズム、ロジック、ファイルを管理するためのものである。
【００４７】
前記ウェブサイトモジュールは、具体的に、例えば医師センター、ユーザーセンター、公式モール、公式サイトなどの展示プラットフォームの情報を提供するためのものである。
【００４８】
前記リモートサーバは、さらに公共サービスエンドと通信しており、前記公共サービスエンドは、アルゴリズムライブラリ、ファイルシステム、データベース、サードパーティサービスのアクセス、次期開発インタフェースを管理するためのものである。
【００４９】
図７に示すように、前記医師エンドは、医師情報を管理するための医師情報管理モジュール、連絡先及び展示情報を管理するための連絡先モジュール、予約情報及びユーザーデータを管理するための注文管理モジュール、収入及び支出を管理するための帳簿管理モジュールを備える。
【００５０】
具体的には、前記医師情報管理モジュールは、具体的に医師の個人情報、医師情報の展示、予約時間計画を保存するためのものである。
【００５１】
前記連絡先モジュールは、具体的に連絡先リスト、連絡先との交流、権限情報を提供するためのものである。
【００５２】
前記注文管理モジュールは、具体的に予約管理、プライベートドクター、ユーザーデータの取得、チャットカウンセリングを行うためのものであり、前記ユーザーデータの取得は、具体的にユーザーの便器使用により得られる検出データを取得し、ユーザーの過去の傷病歴を記録する。
【００５３】
前記帳簿管理モジュールは、具体的に医師の収入情報及び収入の引き出しを管理するためのものである。
【００５４】
本考案の実施例は、尿、体重、心電波形、人体抵抗などの検出機能がある便器の使用方法をさらに提供し、
（１）尿試験紙を試験紙置き溝内に置き、尿を採集し、体重測定装置により体重を測定し、心電波形及び抵抗測定装置により心電波形及び人体抵抗を測定するステップと、
（２）コントローラは、尿採集分析装置、体重採集分析装置、心電波形採集分析装置、人体抵抗採集分析装置に分析指令を出し、前記尿採集分析装置、体重採集分析装置、心電波形採集分析装置、人体抵抗採集分析装置は、尿、体重、心電波形、人体抵抗のデータを取得して分析処理を行い、分析処理後の尿、体重、心電波形、人体抵抗の検出データをコントローラに伝送するステップと、
（３）コントローラは、尿、体重、心電波形、人体抵抗の検出データを受信して記憶するステップと、
（４）尿、体重、心電波形、人体抵抗の検出データを無線ネットワークによりリモートサーバに伝送して健康状況の対比を行い、人体の健康状況情報を得るステップと、
（５）リモートサーバは、対比後の健康状態をコントローラにフィードバックするステップとを備える。
【００５５】
また、ディスプレイは、タッチ操作ディスプレイであり、タッチ操作ディスプレイによりデータメモリに記憶されているデータを調べるとともに、便器本体又はリモートサーバに制御指令を出すようにＣＰＵプロセッサを作動する。操作は便利で迅速である。
【００５６】
さらには、
（６）コントローラは知能操作装置に実行指令を出し、知能操作装置は、具体的な指令により対応する操作を実行するステップをさらに備える。具体的な操作は、臀部洗浄、女性向け洗浄、暖風乾燥、便座恒温、便器汚物排出、便器折りたたみ、自動類、霧化及び薬燻しなどを含むことができる。
【００５７】
ＡＰＰ携帯端末ソフトは、ブルートゥース技術、ＷＩＦＩ技術、モバイル３Ｇ、４Ｇなどの無線通信技術により、便器機能の制御、健康データ、メッセージの発信などの機能を含む便器のすべての機能に対するリモート操作を実現する。ＡＰＰソフト項目の需要は、知能操縦（知能操作装置の制御部分に対応）、データ検出（尿、体重、心電波形、人体抵抗などのデータ採集分析装置の制御部分に対応）、知能パネル操作（ディスプレイの起動コントロールに対応）の三つの部分に分けられる。
【００５８】
知能操縦部分について、知能操縦とは、ユーザーが便器に付属する操縦パネル、及びスマートフォンにインストールされているＡＰＰにより尿、体重、心電波形、人体抵抗などの検出機能を有する便器に関する操作を行うことを指す。図１に含まれる操縦内容を含むが、これに限定されるものではない。知能操縦は、ブルートゥース４．０技術により操縦パネル、ＡＰＰと互いに接続されている。接続方式として、周囲（許容範囲内）のブルートゥースデバイスを迅速に走査し、ＩＰ（ＭＡＣ）アドレスを自動的に対応付けて記憶し、バインディングして記録するので、再度走査、接続を行う必要がない。近接場に既にバインディングされたデバイスをオンすると、デバイスがブルートゥースをオンした後、自動的にドッキングして操作可能な状態を完成する。遅延について、操作フィードバックは最大１０ミリ秒を超えない。干渉防止設計について、近接場に複数のデバイスが接続しているとき、ホッピング接続に自動的に適応でき、正常の操作に影響を与えない。
【００５９】
データ検出部分について、データ検出とは、ユーザーが検出機能を作動させると、検出モジュールが設定された検出範囲に応じて、ユーザーの対象を検出することにより、ユーザーに関する医療データを参考としてフィードバックすることを指し、検出範囲は、図１の内容を含むが、これに限定されるものではない。データ検出の需要の概要について、内蔵されたデータモジュールは、対象の検出、データの測算、データの分類整理／伝送、データの記憶／変更（ユーザーのアカウント情報の記憶／変更）の能力を実現することができる。データモジュールは、近接場ブルートゥースによるデータ伝送のモードを支持し、操縦パネル（ＰＡＤ）又はリンクされた他の知能端末デバイスに伝送することができる。データ検出モジュールは、ユーザーアカウントシステムの追加／変更機能を支持し、ユーザーのアカウントの登録により異なるユーザーを識別し、データを異なるユーザーのアカウントにアップロードすることができる。データ検出モジュールのアカウントシステムは、操縦パネル（ｐａｄ）又は他の端末による変更及び設定を支持する。
【００６０】
最後に、以上の実施例は、本考案の技術方案を説明するためのものに過ぎず、本考案の保護範囲に対する制限ではないことを説明すべきであり、好ましい実施例を参照して本考案を詳しく説明したが、本分野の技術者は、本考案の技術方案の実質及び範囲から逸脱することなく本考案の技術方案に対して修正、或いは同等の置換を行うことができることを理解すべきである。
【図１】
0003213815.tif 000003
【図２】
0003213815.tif 000004
【図３】
0003213815.tif 000005
【図４】
0003213815.tif 000006
【図５】
0003213815.tif 000007
【図６】
0003213815.tif 000008
【図７】
0003213815.tif 000009